(57)【要約】【課題】  地中構造体のウイープホイール内に設置される逆止弁装置の動作を長期にわたって正常に維持することができるようにする。【解決手段】  水路５を有する地中構造体１のウイープホール６ａ内に設置される逆止弁装置７は、主逆止弁８と副逆止弁９を備えている。主逆止弁８は、弁ボデイ１０に形成され水路５側を向く主弁座１２ｘと、この主弁座１２ｘに接離する主弁体２０とを有しており、水路５に向かう流れを許容し逆方向の流れを禁じる。副逆止弁９は、主弁体２０の動作領域よりウイープホール６ａの開口側に配置され、水路５に向かう流れを許容し、逆方向の流れを禁じる。この副逆止弁９により、水路５から主弁体２０の動作領域への砂等の異物侵入を規制することができる。副逆止弁９は、弁ボデイ１０の開口端部（ウイープホイール６ａの開口端部）に配置され、水路５を向く副弁座１４ｘと、この副弁座１４ｘに接離する副弁体３０とを有している。【選択図】図１
2019011810.tif 000002
【特許請求の範囲】
【請求項１】
水路を有する地中構造体のウイープホール内に設置される逆止弁装置において、
上記ウイープホール内に設置されるとともに流路を有する弁ボデイと、上記弁ボデイに形成され上記水路側を向く主弁座と、この主弁座に接離する主弁体とを有し、上記水路に向かう流れを許容し逆方向の流れを禁じる主逆止弁と、
上記主弁体の動作領域より上記ウイープホールの開口側に配置され、上記水路に向かう流れを許容しつつ、上記水路から上記主弁体の動作領域への異物侵入を規制する保護手段と、
を備えたことを特徴とする逆止弁装置。
【請求項２】
上記保護手段が副逆止弁を含み、この副逆止弁は、上記ウイープホイールの開口端部に配置され、上記水路を向く副弁座と、この副弁座に接離する副弁体とを有し、上記水路に向かう流れを許容し逆方向の流れを禁じることを特徴とする請求項１に記載の逆止弁装置。
【請求項３】
上記副逆止弁が上記主逆止弁と上記弁ボデイを共有し、
上記弁ボデイが筒形状をなして上記ウイープホールと同軸に配置され、その開口端部が上記地中構造体の内周において上記水路に臨んでおり、
上記副弁座と上記副弁体が上記弁ボデイの開口端部に配置されていることを特徴とする請求項２に記載の逆止弁装置。
【請求項４】
上記副弁座が上記弁ボデイの上記水路に臨む先端面から後退した位置にあり、上記弁ボデイの開口端部内周と上記副弁座により形成される浅い凹部に上記副弁体が収容されていることを特徴とする請求項３に記載の逆止弁装置。
【請求項５】
上記弁ボデイは、上記流路の中央に配置された中央支持部を有し、上記副弁座がこの中央支持部の周囲に形成されており、
上記副弁体が弾性材料からなり、その中央部が上記中央支持部に固定されており、その周辺部が弾性変形により上記副弁座から離れることにより上記水路に向かう流れを許容し、上記周辺部が上記副弁座に接することにより、逆方向の流れを禁じることを特徴とする請求項３または４に記載の逆止弁装置。
【請求項６】
上記副弁体は板バネからなり、上記水路の上流側の一端が上記弁ボデイに固定され、上記水路の下流側の他端が自由端となっていることを特徴とする請求項３または４に記載の逆止弁装置。
【請求項７】
上記副弁体は、上記水路の上流側の一端が上記弁ボデイに回動可能に支持され、上記水路の下流側の他端が自由端となっていることを特徴とする請求項３または４に記載の逆止弁装置。
【請求項８】
上記弁ボデイは、上記流路の中央に配置された中央支持部を有し、上記副弁座がこの中央支持部の周囲に形成されており、
上記副弁体は上記中央支持部に、上記弁ボデイの軸線方向に移動可能に支持されていることを特徴とする請求項３または４に記載の逆止弁装置。
【請求項９】
上記保護手段は上記ウイープホールの開口を覆う扁平なフードを含み、このフードは、上記水路の下流側だけが開放されていることを特徴とする請求項１に記載の逆止弁装置。
【請求項１０】
上記保護手段は、上記ウイープホールの開口端部に配置されてフィルタを含むことを特徴とする請求項１に記載の逆止弁装置。
【請求項１１】
上記主逆止弁の上記主弁体は、上記ウイープホールの軸線方向に移動可能であり、上記主弁体の上記水路側の面には、上記保護手段として弾性材料からなる閉塞部材が取り付けられており、この閉塞部材は、上記弁ボデイの内周に接することにより、少なくとも上記主弁体の動作領域において上記流路を塞いでおり、
上記主弁体が上記主弁座から離れた時に、上記閉塞部材の外周部の少なくとも一部が、上記水路に向かう水の圧力により径方向内方向に弾性変形して上記弁ボデイの内周から離れ、上記水路への水の流れを許容することを特徴とする請求項１に記載の逆止弁装置。
【請求項１２】
水路を有する地中構造体のウイープホール内に設置される逆止弁装置において、
上記ウイープホール内に設置されるとともに流路を有する弁ボデイと、上記弁ボデイに固定された弁体とを有し、
上記弁体は、弾性材料からなり、その中央を含む部位が周方向に複数に分割され、これら分割部分の上記水路と反対側の面は、中央に向かって傾斜した受圧面として提供され、
上記分割部分の上記受圧面が上記水路に向かう水の圧力を受けた時には、上記分割部分が互いに径方向に離れて上記流路を開き、これにより上記水路に向かう流れを許容し、上記分割部分の上記水路側の面が水圧を受けた時には、上記分割部分が互いに接することにより上記流路の閉じ状態を維持し、これにより逆方向の流れを禁じることを特徴とする逆止弁装置。
【発明の詳細な説明】
【技術分野】
【０００１】
本発明は、地中構造体のウイープホールに設置される逆止弁装置に関する。
【背景技術】
【０００２】
下水管等の既設管の老朽化対策として、既設管内周を更生管でライニングして更生した場合、既設管の外側の水圧により既設管のヒビ割れを介して更生管が径方向内側に膨れる現象（盤膨れ）が発生することがある。
その対策として既設管と更生管との間にモルタル等の裏込め材を充填し、既設管と更生管との間に付着性を高めているが、外水圧が高い場合には裏込め材の既設管、更生管からの剥離が生じ、更生管が膨らんだりする現象を防ぎきれない。
【０００３】
そこで、更生管と既設管を貫通するウイープホール（水抜き穴）を形成し、外水圧の上昇時に外水をウイープホイールを介して更生管内の水路に逃がすことにより外水圧を抑えているが、単にウイープホールを形成しただけでは、更生管の水路から下水等がウイープホールを介して外部に漏れてしまう。
【０００４】
特許文献１は、ウイープホールに設置される逆止弁装置を開示している。この逆止弁装置は、外水圧が上昇した時に開くことによって、外水を更生管の水路へ逃がす。これにより、裏込め材の剥離を防止し、外水圧による既設管や更生管の変形を防止する。一方、更生管の水路の内圧が高まった時には、逆止弁装置が閉じることによって、水路内の水がウイープホールを通って地中へ流出するのを防止する。
【０００５】
特許文献２にも、地中構造体のウイープホールに設置された逆止弁装置が開示されている。この逆止弁装置も、特許文献１の逆止弁装置と同様に動作する。
【先行技術文献】
【特許文献】
【０００６】
【特許文献１】特開２００６−１８１８６２号公報
【特許文献２】特開２００６−１６８６２号公報
【発明の概要】
【発明が解決しようとする課題】
【０００７】
特許文献１、２の逆止弁装置では、逆止弁装置の弁体の動作領域に水路を流れる水に含まれる砂等の異物が堆積することがあり、逆止弁装置の機能を損なう可能性があった。
【課題を解決するための手段】
【０００８】
上記課題を解決するために、本発明は、水路を有する地中構造体のウイープホール内に設置される逆止弁装置において、
上記ウイープホール内に設置されるとともに流路を有する弁ボデイと、上記弁ボデイに形成され上記水路側を向く主弁座と、この主弁座に接離する主弁体とを有し、上記水路に向かう流れを許容し逆方向の流れを禁じる主逆止弁と、
上記主弁体の動作領域より上記ウイープホールの開口側に配置され、上記水路に向かう流れを許容しつつ、上記水路から上記主弁体の動作領域への異物侵入を規制する保護手段と、
を備えたことを特徴とする。
【０００９】
上記構成によれば、主弁体の動作領域に異物が侵入するのを規制するため、主弁体の正常な動作を維持できる。その結果、地中の外水圧による地中構造体への悪影響を無くしつつ、地中構造体の水路からの水の流出を禁じる役割を、長期にわたって維持することができる。
【００１０】
好ましくは、  上記保護手段が副逆止弁を含み、この副逆止弁は、上記ウイープホイールの開口端部に配置され、上記水路を向く副弁座と、この副弁座に接離する副弁体とを有し、上記水路に向かう流れを許容し逆方向の流れを禁じる。
上記構成によれば、副逆止弁を用いることにより、確実に主逆止弁の弁体の動作領域での異物堆積を防止することができる。また、副逆止弁がウイープホイールの開口端部に配置されているので、この副逆止弁の副弁体の動作領域への異物堆積を回避ないしは抑制でき、副逆止弁の正常な動作を確保することができる。
【００１１】
好ましくは、上記副逆止弁が上記主逆止弁と上記弁ボデイを共有し、上記弁ボデイが筒形状をなして上記ウイープホールと同軸に配置され、その開口端部が上記地中構造体の内周において上記水路に臨んでおり、上記副弁座と上記副弁体が上記弁ボデイの開口端部に配置されている。
上記構成によれば、主逆止弁と副逆止弁が弁ボデイを共有しているので、逆止弁装置の構成の簡略化を図ることができるとともに、ユニット化された逆止弁装置をウイープホールへ作業性良く装着することができる。
【００１２】
好ましくは、上記副弁座が上記弁ボデイの上記水路に臨む先端面から後退した位置にあり、上記弁ボデイの開口端部内周と上記副弁座により形成される浅い凹部に上記副弁体が収容されている。
上記構成によれば、副弁体が水路の流れに晒されず、安定した動作を確保できる。また、副弁体が水路内の流れを乱すこともない。
【００１３】
一形態では、上記弁ボデイは、上記流路の中央に配置された中央支持部を有し、上記副弁座がこの中央支持部の周囲に形成されており、上記副弁体が弾性材料からなり、その中央部が上記中央支持部に固定されており、その周辺部が弾性変形により上記副弁座から離れることにより上記水路に向かう流れを許容し、上記周辺部が上記副弁座に接することにより、逆方向の流れを禁じる。
上記構成によれば、副逆止弁を簡単な構成とすることができ、水路内の異物による悪影響を最小限にすることができる。
【００１４】
他の形態では、上記副弁体は板バネからなり、上記水路の上流側の一端が上記弁ボデイに固定され、上記水路の下流側の他端が自由端となっている。
上記構成によれば、副逆止弁を簡単な構成とすることができ、水路内の異物による悪影響を最小限にすることができる。また、副弁体を水路の上流側で固定したので、開いた時に水路からの水の流入を防ぐことができる。
【００１５】
さらに他の形態では、上記副弁体は、上記水路の上流側の一端が上記弁ボデイに回動可能に支持され、上記水路の下流側の他端が自由端となっている。
上記構成によれば、副逆止弁を簡単な構成とすることができ、水路内の異物による悪影響を最小限にすることができる。また、副弁体を水路の上流側で固定したので、開いた時に水路からの水の流入を防ぐことができる。
【００１６】
さらに他の形態では、上記弁ボデイは、上記流路の中央に配置された中央支持部を有し、上記副弁座がこの中央支持部の周囲に形成されており、上記副弁体は上記中央支持部に、上記弁ボデイの軸線方向に移動可能に支持されている。
【００１７】
さらに他の形態では、上記保護手段は上記ウイープホールの開口を覆う扁平なフードを含み、このフードは、上記水路の下流側だけが開放されている。
上記構成によれば、保護手段の構成を簡略化することができる。
【００１８】
上記保護手段は、上記ウイープホールの開口端部に配置されてフィルタを含むことを特徴とする請求項１に記載の逆止弁装置。
上記構成によれば、保護手段の構成を簡略化することができる。
【００１９】
さらに他の形態では、上記主逆止弁の上記主弁体は、上記ウイープホールの軸線方向に移動可能であり、上記主弁体の上記水路側の面には、上記保護手段として弾性材料からなる閉塞部材が取り付けられており、この閉塞部材は、上記弁ボデイの内周に接することにより、少なくとも上記主弁体の動作領域において上記流路を塞いでおり、上記主弁体が上記主弁座から離れた時に、上記閉塞部材の外周部の少なくとも一部が、上記水路に向かう水の圧力により径方向内方向に弾性変形して上記弁ボデイの内周から離れ、上記水路への水の流れを許容する。
上記構成によれば、保護手段の構成を簡略化することができる。
【００２０】
本発明の他の態様は、水路を有する地中構造体のウイープホール内に設置される逆止弁装置において、
上記ウイープホール内に設置されるとともに流路を有する弁ボデイと、上記弁ボデイに固定された弁体とを有し、上記弁体は、弾性材料からなり、その中央を含む部位が周方向に複数に分割され、これら分割部分の上記水路と反対側の面は、中央に向かって傾斜した受圧面として提供され、上記分割部分の上記受圧面が上記水路に向かう水の圧力を受けた時には、上記分割部分が互いに径方向に離れて上記流路を開き、これにより上記水路に向かう流れを許容し、上記分割部分の上記水路側の面が水圧を受けた時には、上記分割部分が互いに接することにより上記流路の閉じ状態を維持し、これにより逆方向の流れを禁じることを特徴とする。
上記構成によれば、逆止弁装置の弁体の分割部分を径方向に弾性変形することにより流路を開閉するため、異物堆積の影響を受けずに長期にわたって正常な動作を確保することができる。
【発明の効果】
【００２１】
本発明によれば、水路中の異物による影響を受けずに逆止弁装置の正常な動作を確保することができる。その結果、地中の外水圧による地中構造体への悪影響を無くしつつ、地中構造体の水路からの水の流出を禁じる役割を、長期にわたって維持することができる。
【図面の簡単な説明】
【００２２】
【図１】本発明の第１実施形態に係る逆止弁装置を示す断面図であり、（Ａ）は閉じ状態、（Ｂ）は開き状態をそれぞれ示す。
【図２】本発明の第２実施形態に係る逆止弁装置を示す断面図であり、（Ａ）は閉じ状態、（Ｂ）は開き状態をそれぞれ示す。
【図３】本発明の第３実施形態に係る逆止弁装置を示す断面図である。
【図４】本発明の第４実施形態に係る逆止弁装置を示す断面図である。
【図５】本発明の第５実施形態に係る逆止弁装置を示す断面図である。
【図６】本発明の第６実施形態に係る逆止弁装置を示す断面図であり、（Ａ）は閉じ状態、（Ｂ）は開き状態をそれぞれ示す。
【図７】本発明の第７実施形態に係る逆止弁装置を示す断面図である。
【図８】本発明の第８実施形態に係る逆止弁装置を示す断面図である。
【図９】本発明の第９実施形態に係る逆止弁装置を示す断面図であり、（Ａ）は閉じ状態、（Ｂ）は開き状態をそれぞれ示す。
【図１０】本発明の第１０実施形態に係る逆止弁装置を示す断面図である。
【発明を実施するための形態】
【００２３】
以下、本発明の実施形態を図面にしたがって説明する。
［第１実施形態］
図１は、地中の下水道管等の老朽化した既設管２を、その内部に更生管３を配置することにより更生した状態を示す。既設管２と更生管３との間には裏込め材４が充填されている。既設管２と更生管３と裏込め材４により、本実施形態の地中構造体１が構成されている。更生管３の内部空間が、下水等の水が流れる水路５として提供される。図１において水の流れ方向を符号Ｆで示す。
【００２４】
上記地中構造体１の上部または側部には、径方向に貫通する直管状のウイープホール管６が貫通している。ウイープホール管６の内部通路がウイープホール６ａとして提供される。ウイープホール管６の水路５側の開口端６ａは、更生管３の内周と一致している。ウイープホール管６は既設管２の外周から径方向外方向に突出しており、この突出端部には多数の穴が形成されており、地中の水（外水）をウイープホール６ａへ導くことができるようになっている。
【００２５】
上記ウイープホール６ａ内には、逆止弁装置７が装着されている。この逆止弁装置７は、主逆止弁８と副逆止弁９（保護手段）とを１つのユニットに組み込むことにより構成されている。逆止弁装置７は、主逆止弁８と副逆止弁９が共有する略円筒形状の弁ボデイ１０を備えている。弁ボデイ１０内の流路１０ａは、上記ウイープホール６ａの一部として提供される。
【００２６】
弁ボデイ１０は、円筒形状の弁筐１１と、主弁座部材１２と、弁座押さえ１３と、副弁座部材１４とを備えている。弁筐１１の外周には雄ねじ１１ａが形成されており、この雄ねじ１１ａをウイープホール管６の開口端部の内周の雌ねじ６ｂに螺合することにより、弁匡１１がウイープホール管６の開口端部に取り付けられている。弁筐１１の水路５側の端には径方向外方向に張り出した環状の鍔部１１ｂが形成されており、この鍔部１１ｂがウイープホール管６と更生管３の貫通穴３ａを覆っている。
【００２７】
主弁座部材１２は円筒形状をなし、弁筐１１の奥端部（水路５の反対側の端部）に装着されている。具体的には、主弁座部材１２の外周には環状の係止凸部１２ａが形成されており、この係止凸部１２ａが弁筐１１の内周に形成された環状の係止段差１１ｃに係止されている。弁筐１１の内周には雌ねじ１１ｄが形成されており、この雌ねじ１１ｄに螺合された弁座押さえ１３が上記主弁座部材１２の係止凸部１２ａを押し付けることにより、主弁座部材１２が弁筐１１に組み付けられている。
【００２８】
主弁座部材１２には、主逆止弁８の環状の主弁座１２ｘが形成されている。主弁座１２ｘは水路５側を向き傾斜するとともに凹曲面をなしている。
主弁座部材１２は、流路１０ａの中央に位置する中央支持部１２ｂを有し、この中央支持部１２ｂは、放射状に延びる複数の架橋部１２ｃにより主弁座部材１２の内周と連なっている。
【００２９】
副弁座部材１４は、更生管３の内周と略一致する位置に配置され、弁ボデイ１０の開口端部を構成している。副弁座部材１４は、その外周に形成された雄ねじ１４ａが弁筐１１の雌ねじ１１ｄに螺合することにより、弁筐１１に取り付けられている。
【００３０】
副弁座部材１４は、その先端面から後退した位置に円環部１４ｂと流路１０ａの中心に位置する中央支持部１４ｃと、この円環部１４ｂと中央支持部１４ｃとを連ねる放射状に延びた複数の架橋部１４ｄとを有している。円環部１４ｂと架橋部１４ｄの水路５を向く面が、副逆止弁９の副弁座１４ｘとして提供される。副弁座１４ｘは、平坦面からなり弁ボデイ１０の中心軸線に直交している。
【００３１】
上記主弁座部材１２の中央支持部１２ｂには、主逆止弁８の主弁体２０と、ゴムからなる付勢部材２１と、ワッシャ２２が、この順序で水路５に向かって支持されている。具体的には、中央支持部１２ｂと、主弁体２０と、付勢部材２１と、ワッシャ２２の中央をボルト２５が貫通しており、このボルト２５の先端部にナット２６が螺合されている。これらボルト２５とナット２６の締め付けにより、付勢部材２１は若干弾性変形している。
【００３２】
主弁体２０は奥に向かって凸の球殻形状をなしており、付勢部材２１の弾性力により、その周縁部が上記主弁座１２ｘに着座している。この状態で、主弁体２０の中央部が主弁座部材１２の中央支持部１２ｂに当たっている。
【００３３】
上記副弁座部材１４の中央支持部１４ｃには、副逆止弁９の副弁体３０が支持されている。副弁体３０は、ゴム製（例えばシリコンゴム製）で円形の板形状をなし、その中央部には凸部３０ａが形成されている。この凸部３０ａが中央支持部１４ｂの穴を貫通し、その突出端部が樹脂製またはゴム製の固定板３１に接着または溶着されることにより、副弁座部材１４の中央が、中央支持部１４ｃに固定されている。副弁体３０は副弁座１４ｘに実質的に接した状態を維持するのに十分な形状保持性を有している。副弁体３０は、副弁座部材１４の内周と副弁座１４ｘとで画成された浅い凹部１４ｅに収容されている。
【００３４】
上記構成において、逆止弁装置７にいずれの方向からも流体圧が付与されない状態では、図１（Ａ）に示すように、主逆止弁８の主弁体２０が主弁座１２ｘに着座しており、副逆止弁９の副弁体３０が副弁座１４ｘに着座している。
【００３５】
地中構造体１の外からの水圧が上昇して、外水がウイープホール６ａに流入した時には、この外水の圧力で図１（Ｂ）に示すように主弁体２０が弁座１２ｘから離れ、副弁体３０も弾性変形して副弁座１４ｘから離れるので、上記外水は逆止弁装置７を通って水路５へ放出することができる。その結果、高圧の外水が既設管２を圧迫したり、既設管２のヒビ割れを通って裏打ち材４や更生管３を圧迫しなので、地中構造体１の変形や、既設管２、裏打ち材４、更生管３間の剥離を防ぐことができる。
【００３６】
上記とは逆に水路５内の圧が上昇した時には、図１（Ａ）に示すように、副弁体３０が副弁座１４ｘに押し付けられ、副逆止弁９の閉じ状態を維持される。また、主逆止弁８の閉じ状態も維持される。その結果、水路５内の下水等が既設管２の外に漏れるのを禁じることができる。
【００３７】
外水流入時を除き、上記副弁体３０が閉じられていて主弁体２０の動作領域に水路５内の水が入り込まないので、水路５内の水に混入している砂や塵埃等の異物が主弁体２０の動作領域に運ばれて堆積することがない。その結果、主逆止弁８の正常な動作を長期にわたって維持することができる。
【００３８】
副弁体３０は、弁ボデイ１０において水路５に臨む開口端部に設置されているので、副弁体３０の動作領域に異物が堆積するのを抑制ないしは回避することができる。
副弁体３０は、弁ボデイ１０の浅い凹部１４ｅに収容されているので、水路５の流れの影響を受けずに副弁座１４ｘへの着座状態を安定して維持できる。また、副弁体３０が水路５の円滑な流れを乱すこともない。
【００３９】
次に、本発明の他の実施形態について図面を参照しながら説明する。これら実施形態において先行する実施形態に対応する構成については、同番号または類似番号を付してその詳細な説明を省略する。
【００４０】
［第２実施形態］
図２に示す第２実施形態の逆止弁装置７Ａの基本構成は第１実施形態の逆止弁装置７と同じであるが、主逆止弁８Ａ、副逆止弁９Ａ、弁ボデイ１０Ａの構造が異なる。
本実施形態では、弁筐１１に螺合される副弁座部材１４Ａが、主弁座部材１２の押さえを兼ねている。主弁座部材１２の主弁座１２ｘは逆止弁装置７Ａの中心軸線と直交した平坦な面となっている。主逆止弁８Ａの主弁体２０Ａは円形の平板状をなしている。付勢部材２１は中央支持部１２ｂの奥側に配置されている。副逆止弁９Ａの副弁体３０Ａは、中央が厚肉をなして副弁座部材１４Ａの中央支持部１４ｃに固定されている。
【００４１】
上記逆止弁装置７Ａでは、外水圧が上昇すると、図２（Ｂ）に示すように、主弁体２０Ａが付勢部材２１の圧縮を伴って主弁座１２ｘから離れ、副弁体３０Ａの周辺部が弾性変形して副弁座１４ｘから離れ、これにより外水が水路５に放出される。
【００４２】
主逆止弁としては第１，第２実施形態に制約されずあらゆるタイプの逆止弁を採用することができる。以下に説明する第３〜第８実施形態では、上記主逆止弁８，８Ａのいずれかを組み込んでいる。
【００４３】
［第３実施形態］
図３に示す第３実施形態の逆止弁装置７Ｂでは、副逆止弁９Ｂの副弁体３０Ｂが板バネからなる。副弁体３０Ｂの一端（水路５の上流側の端）が副弁座部材１４に固定され、他端（水路５の下流側の端）が自由端となっている。副弁体３０Ｂは、通常は副弁座１４ｘに接しており、外水圧により想像線で示すように弾性変形して副弁座１４ｘから離れ、外水の水路５への放水を可能にする。副弁体３０Ｂは上流側の端が固定されているので、開いた時に水路５の水が流入するのを防止できる。
【００４４】
［第４実施形態］
図４に示す第４実施形態の逆止弁装置７Ｃでは、副逆止弁９Ｃの副弁体３０Ｃが剛性の板からなる。副弁体３０Ｃの一端（水路５の上流側の端）が副弁座部材１４に回動可能に支持され、他端（水路５の下流側の端）が自由端となっている。副弁座部材１４には、副弁体３０Ｃの回動を規制するストッパ部１４ｓが形成されている。
副弁体３０Ｃは外水圧により想像線で示すように回動して副弁座１４ｘから離れ、外水の水路５への放水を可能にする。副弁体３０Ｃは上流側の端が回動可能に支持されているので、開いた時に水路５の水が流入するのを防止できる。
【００４５】
［第５実施形態］
図５に示す第５実施形態の逆止弁装置７Ｄでは、副逆止弁９Ｄの副弁体３０Ｄが剛性の板からなる。副弁体３０Ｄは中央に支軸３５を有し、この支軸３５が副弁座部材１４Ａの中央支持部１４ｃを貫通することにより、副弁座部材１４Ａに軸方向移動可能に支持されている。支軸３５には、副弁体３０Ｄを副弁座１４ｘ方向に付勢するゴム製の付勢部材３６が取り付けられている。
【００４６】
副弁座１４ｘは副弁座部材１４Ａの先端面から後退しており、これにより浅い凹部１４ｅが形成されている。副弁体３０Ｄはこの凹部１４ｅに収容されている。
副弁体３０Ｄは外水圧により想像線で示すように軸方向移動して副弁座１４ｘから離れ、外水の水路５への放水を可能にする。
【００４７】
［第６実施形態］
図６に示す第６実施形態の逆止弁装置７Ｅでは、第１〜第５実施形態の副逆止弁を備えていない。本実施形態では保護手段として扁平なフード４０を備えている。このフード４０は、弁ボデイ１０Ｅの開口（ウイープホール６ａの開口）を覆うようにして、水路５の上流側と両側で弁筐１１の先端面に固定され、下流側が開放されている。
【００４８】
外水圧が上昇して主逆止弁８Ａが開いた時には、フード４０の下流側の開放端４１から外水を水路５へ放出することができる。
フード４０の上流側と両側が塞がれているので、水路５内の水が弁ボデイ１０Ｅの開口に入ってくるのを抑制することができ、主逆止弁８Ａの動作領域に異物が入り込むのを抑制することができる。
【００４９】
［第７実施形態］
図７に示す第７実施形態の逆止弁装置７Ｆでは、弁ボデイ１０Ｆの弁座押さえ１３Ｆは、中央支持部１３ａと、中央支持部１３ａから放射状に延びて弁座押さえ１３Ｆの内周まで延びる架橋部１３ｂとを有している。これら中央支持部１３ａと架橋部１３ｂの水路５側の面にはフィルタ５０（保護手段）が配置されているフィルタ５０は弁ボデイ１０Ｆの先端面と面一をなしている。
【００５０】
ボルト２５が、主弁座部材１２の中央支持部１２ｂ、主弁体２０、付勢部材２１、弁座押さえ１３Ｆの中央支持部１３ａ，フィルタ５０の中央部およびワッシャ５１を順に貫通しており、その先端部に螺合されたナット２６で締め付けることにより、フィルタ５０が固定されている。
【００５１】
外水圧が上昇して主逆止弁８が開いた時には、外水をフィルタ５０から水路５へ放出することができる。フィルタ５０は、水路５を流れる水に混在している異物が主逆止弁８の主弁体２０の動作範囲に侵入するのを規制することができる。
本実施形態ではフィルタ５０としてパンチングメタルを用いたが、不織布等であってもよい。
【００５２】
［第８実施形態］
図８に示す第８実施形態の逆止弁装置７Ｇでは、主逆止弁８Ａと弁ボデイ１０Ｅが図６に示す第６実施形態と同様の構成を有している。本実施形態では、主逆止弁８Ａの水路５側の面にシリコンゴム等の弾性材料からなる円柱形状の閉塞部材６０（保護手段）が取付られている。
【００５３】
図８（Ａ）に示すように、上記閉塞部材６０の外周部は、弁ボデイ１０Ｅの弁座押さえ１３の内周に接しており、弁ボデイ１０Ｅの流路を塞いでいる。これにより、水路５を流れる水が主弁体２０Ａの動作領域に侵入するのを阻止し、この動作領域に異物が堆積するのを防止することができる。
外水圧が上昇した時には、図８（Ｂ）に示すように主逆止弁８Ａが開き、この外水圧により閉塞部材６０の外周部の少なくとも一部が径方向内方向に弾性変形する。その結果、閉塞部材６０の外周部と弁ボデイ１０Ｅの内周との間に形成された通路６１を介して、外水を水路５へ放出することができる。
【００５４】
［第９実施形態］
図９に示す第９実施形態の逆止弁装置７Ｈは、カップ形状の弁ボデイ７０と、この弁ボデイ７０内に収容された弾性材料からなる弁体７５とを備えている。弁ボデイ７０は、ウイープホール管６にねじ込まれる周壁７１と、ウイープホール管６の先端を覆う鍔部７２と、周壁７１の奥端に連なる底壁７３とを有しており、底壁７３には通口７３ａが形成されている。
【００５５】
上記弁体７５は略円柱形状をなし、弁ボデイ７０の周壁７１と底部７３に固定されている。弁体７５の中央を含む部位（図９において破線の内側の部位）は、中心軸線を通る切断面により、周方向に複数に分割されている。これら分割部分７５ａの奥側の面（水路５と反対側の面）は、中央に向かって傾斜した受圧面７５ｘとして提供されており、これら受圧面７５ｘにより、円錐形状の凹部７６が形成されている。弁体７５の水路５側の面は弁ボデイ７０の中心軸線と直交する平坦面をなし、弁ボデイ７０の先端面と面一をなしている。
【００５６】
外水圧が上昇した時、この水圧が分割部分７５ａの受圧面７５ｘに付与され、これにより、図９（Ｂ）に示すように分割部分７５ａが径方向外方向に弾性変形し、その結果、弁体７５の中央に通路７７が形成され、外水の水路５への流れを許容する。
水路５の内圧が上昇した時には、この水圧が弁体７５の分割部分７５ａの水路５側の平坦面に付与されるが、分割部分７５ａを径方向に押し広げる力が生じないため、閉じ状態を維持され、水路５から外部への水の流出を禁じることができる。
【００５７】
上述したように弁体７５の分割部分７５ａは主として径方向に弾性変形し、その動作領域が弁体７５の内部にあるので、この動作領域に水路５からの異物が堆積することはなく、長期にわたって正常な動作を維持できる。
【００５８】
［第１０実施形態］
図１０に示す第１０実施形態の逆止弁装置７Ｊでは、第１実施形態と同じ弁ボデイ７０が用いられている。弁体８０は、弁ボデイ７０の底壁７３の水路５側の面に固定された環状板部８１と、この環状部８１の内周に連なり周方向に配置された複数の分割片８２（分割部分）とを有している。これら分割片８２は中心軸線を通る分割面により分割されている。これら分割片８２は水路５方向に向けて中心軸線に近づくように傾斜しており、この分割片８２の奥側の面が第１受圧面８２ｘとして提供され、水路５側の面が第２受圧面８２ｙとして提供される。
【００５９】
外水圧が上昇した時、この水圧が弁体８０の分割片８２の第１受圧面８２ｘに付与され、これにより、分割片８２が径方向外方向に弾性変形して開き、外水の水路５への流れを許容する。
水路５の内圧が上昇した時には、この水圧が弁体８２の分割片８２の第２受圧面８２ｙに付与され、これにより分割片８２が径方向内方向に弾性変形して閉じ、水路５から外部への水の流出を禁じることができる。
【００６０】
上述したように弁体８０の分割片８２は主として径方向に弾性変形するので、この動作領域に水路５からの異物が堆積することはなく、長期にわたって正常な動作を維持することができる。
【００６１】
本発明は、前記実施形態に限られず、その趣旨を逸脱しない範囲内で種々の改変をなすことができる。
ウイープホールは更生管と裏打ち材を貫通し、その外端が既設管の内周に位置していてもよい。この場合、更生管と裏打ち材により地中構造体が構成される。
ウイープホールは既設管と更生管と裏打ち材からなる地中構造体と異なるあらゆる地中構造体に形成されていてもよい。
【産業上の利用可能性】
【００６２】
本発明は、水路を有する地中構造体のウイープホールに設置される逆止弁装置に適用可能である。
【符号の説明】
【００６３】
１  地中構造体
２  既設管
３  更生管
４  裏打ち材
５  水路
６  ウイープホール管
６ａ  ウイープホール
７，７Ａ，７Ｂ，７Ｃ，７Ｄ，７Ｅ，７Ｆ，７Ｇ，７Ｈ，７Ｊ  逆止弁装置
８，８Ａ  主逆止弁
９，９Ａ，９Ｂ，９Ｃ，９Ｄ  副逆止弁（保護手段）
１０，１０Ａ，１０Ｅ，１０Ｆ  弁ボデイ
１０ａ  流路
１２ｘ  主弁座
１４ｃ  中央支持部
１４ｅ  浅い凹部
１４ｘ  副弁座
２０，２０Ａ  主弁体
３０，３０Ａ，３０Ｂ，３０Ｃ，３０Ｄ  副弁体
４０  フード（保護手段）
５０  フィルタ（保護手段）
６０  閉塞部材（保護手段）
７０  弁ボデイ
７５  弁体
７５ａ  分割部分
７５ｘ  受圧面
８０  弁体
８２  分割片（分割部分）
８２ｘ  受圧面
【図１】
2019011810.tif 000003
【図２】
2019011810.tif 000004
【図３】
2019011810.tif 000005
【図４】
2019011810.tif 000006
【図５】
2019011810.tif 000007
【図６】
2019011810.tif 000008
【図７】
2019011810.tif 000009
【図８】
2019011810.tif 000010
【図９】
2019011810.tif 000011
【図１０】
2019011810.tif 000012